【手続補正書】
【提出日】平成24年3月12日(2012.3.12)
【手続補正１】
【補正対象書類名】特許請求の範囲
【補正対象項目名】全文
【補正方法】変更
【補正の内容】
【特許請求の範囲】
【請求項１】
エネルギー節約装置であって：
少なくとも１のアナログ信号を有する所定量のエネルギーを入力するように構成された少なくとも１のフェーズ入力接続部；
前記少なくとも１のアナログ信号の少なくとも１のゼロクロスポイントを決定するように構成された少なくとも１の電圧ゼロクロスポイントディテクタ；
前記少なくとも１のアナログ信号の少なくとも１の正の半サイクルと、前記少なくとも１のアナログ信号の少なくとも１の負の半サイクルを識別するように構成された少なくとも１の半サイクル識別部；
前記少なくとも１のアナログ信号の少なくとも１の正の半サイクルと前記少なくとも１のアナログ信号の少なくとも１の負の半サイクルを、前記少なくとも１のアナログ信号を処理するように構成された少なくとも１のデジタル信号プロセッサへルーティングする少なくとも１の論理デバイス；
前記少なくとも１のデジタル信号プロセッサに電気的に接続され、少なくとも１のアナログ信号にパルス幅変調を施すことにより、所定量のエネルギーを低減し、低減された量のエネルギーをもたらすことができるように構成された少なくとも１の駆動制御部；及び
低減された量のエネルギーを出力するように構成された少なくとも１のフェーズ出力接続部；
を含んでおり、
前記少なくとも１の駆動制御部は、前記少なくとも１のアナログ信号の少なくとも１の正の半サイクルにパルス幅変調を施すように構成された正の半サイクル制御トランジスタと、前記少なくとも１のアナログ信号の少なくとも１の負の半サイクルにパルス幅変調を施すように構成された負の半サイクル制御トランジスタと、ルーティングスイッチとして逆起電力をクランプするように構成された第１シャント制御トランジスタ及び第２シャント制御トランジスタと、を具えている、エネルギー節約装置。
【請求項２】
前記所定量のエネルギーを検知する少なくとも１の検知手段をさらに具えている請求項１のエネルギー節約装置。
【請求項３】
前記少なくとも１のアナログ信号が前記少なくとも１の半サイクル識別部に入力されるように前記少なくとも１のアナログ信号を調節するように構成された少なくとも１のアナログ信号調節デバイスをさらに具えている請求項１のエネルギー節約装置。
【請求項４】
前記少なくとも１のアナログ信号が前記少なくとも１の半サイクル識別部に入力されるように前記少なくとも１のアナログ信号を準備するように構成された少なくとも１の損失フェーズ検出デバイスをさらに具えている請求項１のエネルギー節約装置。
【請求項５】
前記少なくとも１のアナログ信号が前記少なくとも１の半サイクル識別部に入力されるように前記少なくとも１のアナログ信号を準備するように構成された少なくとも１のフェーズ回転デバイスをさらに具えている請求項１のエネルギー節約装置。
【請求項６】
エネルギー節約装置に電気的に接続され、エネルギー節約装置に電力を供給するように構成された少なくとも１の電力供給ユニットをさらに具えている請求項１のエネルギー節約装置。
【請求項７】
前記少なくとも１の駆動制御部に電気的に接続された少なくとも１の非設置電源をさらに具えている請求項１のエネルギー節約装置。
【請求項８】
エネルギー節約装置に電気的に接続された少なくとも１の演算デバイスをさらに具えている請求項１のエネルギー節約装置。
【請求項９】
前記少なくとも１のデジタル信号プロセッサに電気的に接続された少なくとも１の通信インターフェイスをさらに具えている請求項１のエネルギー節約装置。
【請求項１０】
前記少なくとも１のデジタル信号プロセッサに電気的に接続された少なくとも１のリセットスイッチをさらに具えている請求項１のエネルギー節約装置。
【請求項１１】
前記少なくとも１のリセットスイッチに電気的に接続された少なくとも１の発光ダイオードをさらに具えている請求項１０のエネルギー節約装置。
【請求項１２】
前記少なくとも１のデジタル信号プロセッサに電気的に接続された少なくとも１のデジタル電量計をさらに具えている請求項１のエネルギー節約装置。
【請求項１３】
前記正の半サイクル制御トランジスタ及び前記負の半サイクル制御トランジスタはＩＧＢＴデバイスである請求項１のエネルギー節約装置。
【請求項１４】
前記正の半サイクル制御トランジスタ及び前記負の半サイクル制御トランジスタはＦＥＴデバイスである請求項１のエネルギー節約装置。
【請求項１５】
前記第１シャント制御トランジスタ及び前記第２シャント制御トランジスタはＩＧＢＴデバイスである請求項１のエネルギー節約装置。
【請求項１６】
前記第１シャント制御トランジスタ及び前記第２シャント制御トランジスタはＦＥＴデバイスである請求項１のエネルギー節約装置。
【請求項１７】
前記少なくとも１のデジタル信号プロセッサは少なくとも１のリアルタイムクロックを具えている請求項１のエネルギー節約装置。
【請求項１８】
前記少なくとも１のデジタル信号プロセッサは少なくとも１のアナログ−デジタルコンバータを具えている請求項１のエネルギー節約装置。
【請求項１９】
前記少なくとも１のデジタル信号プロセッサは前記少なくとも１の論理デバイスと電気的に接続されている請求項１のエネルギー節約装置。
【請求項２０】
前記少なくとも１の論理デバイスは前記少なくとも１の半サイクル識別部と電気的に接続されている請求項１のエネルギー節約装置。
【請求項２１】
前記少なくとも１の論理デバイスは前記少なくとも１の電圧ゼロクロスポイントディテクタと電気的に接続されている請求項１のエネルギー節約装置。
【請求項２２】
前記少なくとも１の論理デバイスは前記少なくとも１の駆動制御部と電気的に接続されている請求項１のエネルギー節約装置。
【請求項２３】
前記少なくとも１の論理デバイスは前記少なくとも１の損失フェーズ検出デバイスと電気的に接続されている請求項１のエネルギー節約装置。
【請求項２４】
前記少なくとも１の論理デバイスは前記少なくとも１のフェーズ回転デバイスと電気的に接続されている請求項１のエネルギー節約装置。
【請求項２５】
前記少なくとも１の検知手段は、前記所定量の入力エネルギーをガルバニック絶縁により測定する請求項２のエネルギー節約装置。
【請求項２６】
前記少なくとも１の電圧ゼロクロスポイントディテクタは、コンパレータとシュミットバッファを具えている請求項１のエネルギー節約装置。
【請求項２７】
前記コンパレータは、供給電圧のおおよそ半分の参照ポイントを有している請求項２６のエネルギー節約装置。
【請求項２８】
前記少なくとも１のアナログ信号調節デバイスは、高調波及び過渡信号を除去若しくは低減するか、又は前記少なくとも１のアナログ信号の信号を干渉する第１フィルタを含んでいる請求項３のエネルギー節約装置。
【請求項２９】
前記少なくとも１のアナログ信号調節デバイスは、必要に応じて少なくとも１のフェーズ変化を許容する第２フィルタを含んでいる請求項２８のエネルギー節約装置。
【請求項３０】
前記少なくとも１の通信インターフェイスは、少なくとも１のＵＳＢ通信インターフェイスである請求項９のエネルギー節約装置。
【請求項３１】
前記少なくとも１のＵＳＢ通信インターフェイスは、ユーザにより、エネルギー節約システムへ入力された所定量のエネルギーと、エネルギー節約システムから出力された低減されたエネルギーを監視することを許容する請求項９のエネルギー節約装置。
【請求項３２】
前記少なくとも１の半サイクル識別部は、前記少なくとも１のアナログ信号の絶対ゼロクロス信号を識別する請求項１のエネルギー節約装置。
【請求項３３】
前記少なくとも１の論理デバイスは、プログラム可能である請求項１のエネルギー節約装置。
【請求項３４】
前記少なくとも１の論理デバイスは、リアルタイムで作動する請求項１のエネルギー節約装置。
【請求項３５】
前記少なくとも１のフェーズ入力接続部は、単相入力システムである請求項１のエネルギー節約装置。
【請求項３６】
前記少なくとも１のフェーズ出力接続部は、単相出力システムである請求項１のエネルギー節約装置。
【請求項３７】
前記少なくとも１のフェーズ入力接続部は、二相入力システムである請求項１のエネルギー節約装置。
【請求項３８】
前記少なくとも１のフェーズ出力接続部は、二相出力システムである請求項１のエネルギー節約装置。
【請求項３９】
前記少なくとも１のフェーズ入力接続部は、三相入力システムである請求項１のエネルギー節約装置。
【請求項４０】
前記少なくとも１のフェーズ出力接続部は、三相出力システムである請求項１のエネルギー節約装置。
【請求項４１】
エネルギー節約装置を具えるエネルギー節約システムであって：
少なくとも１のアナログ信号を有する所定量のエネルギーを入力するように構成された少なくとも１のフェーズ入力接続部；
前記少なくとも１のアナログ信号の少なくとも１のゼロクロスポイントを決定するように構成された少なくとも１の電圧ゼロクロスポイントディテクタ；
前記少なくとも１のアナログ信号の少なくとも１の正の半サイクルと、前記少なくとも１のアナログ信号の少なくとも１の負の半サイクルを識別するように構成された少なくとも１の半サイクル識別部；
前記少なくとも１のアナログ信号の少なくとも１の正の半サイクルと前記少なくとも１のアナログ信号の少なくとも１の負の半サイクルを、前記少なくとも１のアナログ信号を処理するように構成された少なくとも１のデジタル信号プロセッサへルーティングする少なくとも１の論理デバイス；
前記少なくとも１のデジタル信号プロセッサに電気的に接続された少なくとも１の通信インターフェイス；
前記少なくとも１のデジタル信号プロセッサに電気的に接続され、少なくとも１のアナログ信号にパルス幅変調を施すことにより、所定量のエネルギーを低減し、低減された量のエネルギーをもたらすことができるように構成された駆動制御部であって、前記少なくとも１のアナログ信号の少なくとも１の正の半サイクルにパルス幅変調を施すように構成された正の半サイクル制御トランジスタと、前記少なくとも１のアナログ信号の少なくとも１の負の半サイクルにパルス幅変調を施すように構成された負の半サイクル制御トランジスタと、ルーティングスイッチとして逆起電力をクランプするように構成された第１シャント制御トランジスタ及び第２シャント制御トランジスタとを具えた少なくとも１の駆動制御部；
低減された量のエネルギーを出力するように構成された少なくとも１のフェーズ出力接続部；
エネルギー節約装置に電気的に接続され、エネルギー節約装置に電力を供給するように構成された少なくとも１の電力供給ユニット；及び
エネルギー節約装置の前記少なくとも１の通信インターフェイスと電気的に接続されたウィンドウインターフェイス及び通信インターフェイスを含む演算デバイス；
を具えている、エネルギー節約システム。
【請求項４２】
前記所定量のエネルギーを検知する少なくとも１の検知手段をさらに具えている請求項４１のエネルギー節約システム。
【請求項４３】
エネルギー節約装置の前記少なくとも１のデジタル信号プロセッサに電気的に接続された少なくとも１のリセットスイッチをさらに具えている請求項４１のエネルギー節約システム。
【請求項４４】
前記少なくとも１のリセットスイッチに電気的に接続された少なくとも１の発光ダイオードをさらに具えている請求項４３のエネルギー節約システム。
【請求項４５】
前記少なくとも１のアナログ信号が前記少なくとも１の半サイクル識別部に入力されるように前記少なくとも１のアナログ信号を調節するように構成された少なくとも１のアナログ信号調節デバイスをさらに具えている請求項４１のエネルギー節約システム。
【請求項４６】
前記少なくとも１のアナログ信号が前記少なくとも１の半サイクル識別部に入力されるように前記少なくとも１のアナログ信号を準備するように構成された少なくとも１の損失フェーズ検出デバイスをさらに具えている請求項４１のエネルギー節約システム。
【請求項４７】
前記少なくとも１のアナログ信号が前記少なくとも１の半サイクル識別部に入力されるように前記少なくとも１のアナログ信号を準備するように構成された少なくとも１のフェーズ回転デバイスをさらに具えている請求項４１のエネルギー節約システム。
【請求項４８】
前記少なくとも１の駆動制御部に電気的に接続された少なくとも１の非設置電源をさらに具えている請求項４１のエネルギー節約システム。
【請求項４９】
前記少なくとも１のデジタル信号プロセッサに電気的に接続された少なくとも１のデジタル電量計をさらに具えている請求項４１のエネルギー節約システム。
【請求項５０】
前記正の半サイクル制御トランジスタ及び前記負の半サイクル制御トランジスタはＩＧＢＴデバイスである請求項４１のエネルギー節約システム。
【請求項５１】
前記正の半サイクル制御トランジスタ及び前記負の半サイクル制御トランジスタはＦＥＴデバイスである請求項４１のエネルギー節約システム。
【請求項５２】
前記第１シャント制御トランジスタ及び前記第２シャント制御トランジスタはＩＧＢＴデバイスである請求項４１のエネルギー節約システム。
【請求項５３】
前記第１シャント制御トランジスタ及び前記第２シャント制御トランジスタはＦＥＴデバイスである請求項４１のエネルギー節約システム。
【請求項５４】
前記少なくとも１のデジタル信号プロセッサは少なくとも１のリアルタイムクロックを具えている請求項４１のエネルギー節約システム。
【請求項５５】
前記少なくとも１のデジタル信号プロセッサは少なくとも１のアナログ−デジタルコンバータを具えている請求項４１のエネルギー節約システム。
【請求項５６】
前記少なくとも１のデジタル信号プロセッサは前記少なくとも１の論理デバイスと電気的に接続されている請求項４１のエネルギー節約システム。
【請求項５７】
前記少なくとも１の論理デバイスは前記少なくとも１の半サイクル識別部と電気的に接続されている請求項４１のエネルギー節約システム。
【請求項５８】
前記少なくとも１の論理デバイスは前記少なくとも１の電圧ゼロクロスポイントディテクタと電気的に接続されている請求項４１のエネルギー節約システム。
【請求項５９】
前記少なくとも１の論理デバイスは前記少なくとも１の駆動制御部と電気的に接続されている請求項４１のエネルギー節約システム。
【請求項６０】
前記少なくとも１の論理デバイスは前記少なくとも１の損失フェーズ検出デバイスと電気的に接続されている請求項４６のエネルギー節約システム。
【請求項６１】
前記少なくとも１の論理デバイスは前記少なくとも１のフェーズ回転デバイスと電気的に接続されている請求項４７のエネルギー節約システム。
【請求項６２】
前記少なくとも１の検知手段は、前記所定量の入力エネルギーをガルバニック絶縁により測定する請求項４２のエネルギー節約システム。
【請求項６３】
前記少なくとも１の電圧ゼロクロスポイントディテクタは、コンパレータとシュミットバッファを具えている請求項４１のエネルギー節約システム。
【請求項６４】
前記コンパレータは、供給電圧のおおよそ半分の参照ポイントを有している請求項６３のエネルギー節約システム。
【請求項６５】
前記少なくとも１のアナログ信号調節デバイスは、高調波及び過渡信号を除去若しくは低減するか、又は前記少なくとも１のアナログ信号の信号を干渉する第１フィルタを含んでいる請求項４５のエネルギー節約システム。
【請求項６６】
前記少なくとも１のアナログ信号調節デバイスは、必要に応じて少なくとも１のフェーズ変化を許容する第２フィルタを含んでいる請求項６５のエネルギー節約システム。
【請求項６７】
前記少なくとも１の通信インターフェイスは、少なくとも１のＵＳＢ通信インターフェイスである請求項４１のエネルギー節約システム。
【請求項６８】
前記少なくとも１のＵＳＢ通信インターフェイスは、ユーザにより、エネルギー節約システムへ入力された所定量のエネルギーと、エネルギー節約システムから出力された低減されたエネルギーを監視することを許容する請求項４１のエネルギー節約システム。
【請求項６９】
前記少なくとも１の半サイクル識別部は、前記少なくとも１のアナログ信号の絶対ゼロクロス信号を識別する請求項４１のエネルギー節約システム。
【請求項７０】
前記少なくとも１の論理デバイスは、プログラム可能である請求項４１のエネルギー節約システム。
【請求項７１】
前記少なくとも１の論理デバイスは、リアルタイムで作動する請求項４１のエネルギー節約システム。
【請求項７２】
前記少なくとも１のフェーズ入力接続部は、単相入力システムである請求項４１のエネルギー節約システム。
【請求項７３】
前記少なくとも１のフェーズ出力接続部は、単相出力システムである請求項４１のエネルギー節約システム。
【請求項７４】
前記少なくとも１のフェーズ入力接続部は、二相入力システムである請求項１のエネルギー節約システム。
【請求項７５】
前記少なくとも１のフェーズ出力接続部は、二相出力システムである請求項４１のエネルギー節約システム。
【請求項７６】
前記少なくとも１のフェーズ入力接続部は、三相入力システムである請求項４１のエネルギー節約システム。
【請求項７７】
前記少なくとも１のフェーズ出力接続部は、三相出力システムである請求項４１のエネルギー節約システム。
【請求項７８】
エネルギー節約システムであって：
少なくとも１のアナログ信号を有する所定量の入力エネルギーを入力する入力手段；
前記少なくとも１のアナログ信号の少なくとも１のゼロクロスポイントを決定する決定手段；
前記少なくとも１のアナログ信号の少なくとも１の正の半サイクル及び少なくとも１の負の半サイクルを識別する識別手段；
前記少なくとも１のアナログ信号の少なくとも１の正の半サイクルと前記少なくとも１のアナログ信号の少なくとも１の負の半サイクルを、前記少なくとも１のアナログ信号を処理する少なくとも１の処理手段へルーティングする手段；
前記少なくとも１のアナログ信号の前記所定量のエネルギーを低減し、低減された量のエネルギーをもたらす低減手段；及び
低減された量のエネルギーを出力する出力手段；
を具えているエネルギー節約システム。
【請求項７９】
前記所定量の入力エネルギーを検知する手段をさらに具えている請求項７８のエネルギー節約システム。
【請求項８０】
前記少なくとも１のアナログ信号を調節する手段をさらに具えている請求項７８のエネルギー節約システム。
【請求項８１】
前記少なくとも１のアナログ信号の損失フェーズを検出する手段をさらに具えている請求項７８のエネルギー節約システム。
【請求項８２】
前記少なくとも１のアナログ信号のフェーズを回転させる手段をさらに具えている請求項７８のエネルギー節約システム。
【請求項８３】
少なくとも１の演算デバイスと通信する手段をさらに具えている請求項７８のエネルギー節約システム。
【請求項８４】
前記エネルギー節約システムをリセットする手段をさらに具えている請求項７８のエネルギー節約システム。
【請求項８５】
前記低減手段は、前記少なくとも１のアナログ信号の少なくとも１の正の半サイクルにパルス幅変調を施すように構成された正の半サイクル制御トランジスタと、前記少なくとも１のアナログ信号の少なくとも１の負の半サイクルにパルス幅変調を施すように構成された負の半サイクル制御トランジスタと、ルーティングスイッチとして逆起電力をクランプするように構成された第１シャント制御トランジスタ及び第２シャント制御トランジスタとを具えている、請求項７８のエネルギー節約システム。
【請求項８６】
前記正の半サイクル制御トランジスタ及び前記負の半サイクル制御トランジスタはＩＧＢＴデバイスである請求項８５のエネルギー節約システム。
【請求項８７】
前記正の半サイクル制御トランジスタ及び前記負の半サイクル制御トランジスタはＦＥＴデバイスである請求項８５のエネルギー節約システム。
【請求項８８】
前記第１シャント制御トランジスタ及び前記第２シャント制御トランジスタはＩＧＢＴデバイスである請求項８５のエネルギー節約システム。
【請求項８９】
前記第１シャント制御トランジスタ及び前記第２シャント制御トランジスタはＦＥＴデバイスである請求項８５のエネルギー節約システム。
【請求項９０】
エネルギー節約装置によりエネルギーの消費を低減する方法であって、
少なくとも１のアナログ信号を有する所定量のエネルギーを入力し；
前記少なくとも１のアナログ信号の少なくとも１のゼロクロスポイントを決定し；
前記少なくとも１のアナログ信号の少なくとも１の正の半サイクル及び前記少なくとも１のアナログ信号の少なくとも１の負の半サイクルを識別し；
前記少なくとも１のアナログ信号を処理し；
少なくとも１のアナログ信号にパルス幅変調を施して前記所定量のエネルギーを低減し；
低減された量のエネルギーを出力する；
ことを含んでいる、方法。
【請求項９１】
前記所定量の入力エネルギーを検知することをさらに含んでいる請求項９０の方法。
【請求項９２】
前記少なくとも１のアナログ信号を調節することをさらに含んでいる請求項９０の方法。
【請求項９３】
前記少なくとも１のアナログ信号の損失フェーズを検出することをさらに含んでいる請求項９０の方法。
【請求項９４】
前記少なくとも１のアナログ信号のフェーズの回転を決定することをさらに含んでいる請求項９０の方法。
【請求項９５】
前記少なくとも１のアナログ信号の少なくとも１の正の半サイクルと前記少なくとも１のアナログ信号の少なくとも１の負の半サイクルを、処理する前に処理手段にルーティングすることをさらに含んでいる請求項９０の方法。
【請求項９６】
前記低減は、
前記少なくとも１のアナログ信号の前記少なくとも１の正の半サイクルにパルス幅変調を施し、
前記少なくとも１のアナログ信号の前記少なくとも１の負の半サイクルにパルス幅変調を施し、
複数のルーティングスイッチにより逆起電力をクランプする、ことを含んでいる請求項９０の方法。
【手続補正２】
【補正対象書類名】明細書
【補正対象項目名】発明の名称
【補正方法】変更
【補正の内容】
【発明の名称】エネルギー節約装置、システム及び方法